(57)【要約】【課題】装置コストの低減を図りながら、自動販売機の商品冷却性能及び省エネ効果を向上させる。【解決手段】第１及び第２商品庫４Ａ，４Ｂの両方の庫内を蒸発器１０により冷却する２冷庫並列モードと、第１商品庫４Ａの庫内を蒸発器１０により冷却しかつ第２商品庫４Ｂの庫内を加熱手段１４により加熱する冷温庫並列モードとの切り換えを可能にするのに、蒸発器１０により冷却した空気を第１及び第２商品庫４Ａ，４Ｂの両方に給気する２冷庫並列モード用の切換状態と、蒸発器１０により冷却した空気を第１商品庫４Ａにのみ給気する冷温庫並列モード用の切換状態とに冷却空気の給気経路を切り換える切換手段１２を設け、冷凍回路Ｒの膨張機構として電子制御膨張弁２９を装備するとともに、この電子制御膨張弁２９を冷凍回路Ｒにおける冷媒の状態に応じて制御する制御手段３３を設ける。【選択図】　　　　図１０
2004037019.tif 000002
【特許請求の範囲】
【請求項１】
庫内商品の払い出しを互いに独立に行なう第１及び第２の商品庫を設けるとともに、圧縮機―凝縮器―膨張機構―蒸発器―圧縮機の順に冷媒を循環させる蒸気圧縮式の冷凍回路を設け、
第１及び第２商品庫の両方の庫内を前記蒸発器により冷却する２冷庫並列モードと、第１商品庫の庫内を前記蒸発器により冷却しかつ第２商品庫の庫内を加熱手段により加熱する冷温庫並列モードとの切り換えを可能にした自動販売機であって、
前記蒸発器により冷却した空気を第１及び第２商品庫の両方に給気する２冷庫並列モード用の切換状態と、前記蒸発器により冷却した空気を第１商品庫にのみ給気する冷温庫並列モード用の切換状態とに冷却空気の給気経路を切り換える切換手段を設け、
前記膨張機構として電子制御膨張弁を装備するとともに、この電子制御膨張弁を前記冷凍回路における冷媒の状態に応じて制御する制御手段を設けてある自動販売機。
【請求項２】
第１商品庫の庫内空気を前記蒸発器の風路部を通じて循環させる第１庫内ファン、及び、第２商品庫の庫内空気を加熱手段の風路部を通じて循環させる第２庫内ファンを設け、
前記切換手段として、第２庫内ファンによる循環空気を迂回風路を通じて前記蒸発器の風路部に通過させる状態で循環させる迂回循環状態と、第２庫内ファンによる循環空気を前記迂回風路に対する短絡風路を通じて前記蒸発器の風路部に対し非通過の状態で循環させる短絡循環状態とに、空気循環経路を切り換える切換ダンパ装置を設けてある請求項１記載の自動販売機。
【請求項３】
庫内商品の払い出しを第１及び第２商品庫とは独立に行なう第３商品庫を設けるとともに、
前記冷凍回路において、前記電子制御膨張弁と前記蒸発器との直列接続組とは並列に、開閉弁とキャピラリチューブと第３商品庫用の蒸発器との直列接続組を設け、
２冷庫並列モード及び冷温庫並列モードの夫々と並行する形態で、前記開閉弁を開いて前記第３商品庫用の蒸発器により第３商品庫の庫内を冷却する第３商品庫冷却モードと、前記開閉弁を閉じた状態で第３商品庫用の加熱手段により第３商品庫の庫内を加熱する第３商品庫加熱モードとの選択実施が可能な構成にしてある請求項１又は２記載の自動販売機。
【発明の詳細な説明】
【０００１】
【発明の属する技術分野】
本発明は庫内の収納商品に対して冷却や加熱を施す自動販売機に関し、詳しくは、庫内商品の払い出しを互いに独立に行なう第１及び第２の商品庫を設けるとともに、圧縮機―凝縮器―膨張機構―蒸発器―圧縮機の順に冷媒を循環させる蒸気圧縮式の冷凍回路を設け、第１及び第２商品庫の両方の庫内を前記蒸発器により冷却する２冷庫並列モードと、第１商品庫の庫内を前記蒸発器により冷却しかつ第２商品庫の庫内を加熱手段により加熱する冷温庫並列モードとの切り換えを可能にした自動販売機に関する。
【０００２】
【従来の技術】
上記形式の自動販売機としては、例えば図１１に示す如く、庫内商品の払い出しを互いに独立に行なう第１〜第３の商品庫４Ａ〜４Ｃを設けるのに対し、それら３つの商品庫４Ａ〜４Ｃの庫内を各別に冷却する３つの蒸発器ｅ１〜ｅ３、並びに、それら３つの商品庫４Ａ〜４Ｃのうち第２及び第３商品庫４Ｂ，４Ｃの庫内を各別に加熱する２つの加熱手段ｈ２，ｈ３（一般に電気ヒータ）を設け、この構成により、第１商品庫４Ａについては蒸発器ｅ１による庫内冷却のみを可能にするのに対し、第２及び第３商品庫４Ｂ，４Ｃの各々については、蒸発器ｅ２，ｅ３による庫内冷却と加熱手段ｈ２，ｈ３による庫内加熱との選択実施を可能にしたものがある。
【０００３】
すなわち、この自動販売機において第１及び第２商品庫４Ａ，４Ｂに着目すれば、それら第１及び第２商品庫４Ａ，４Ｂの両方について蒸発器ｅ１，ｅ２による庫内冷却を選択した場合に前記２冷庫並列モードの実施となり、第１商品庫４Ａについて蒸発器ｅ１による庫内冷却を選択しかつ第２商品庫４Ｂについて加熱手段ｈ２による庫内加熱を選択した場合に前記冷温庫並列モードの実施となる。
【０００４】
ところで従来、この種の自動販売機においては、同図１１に示す如く、複数の商品庫４Ａ〜４Ｃを各別に冷却する蒸発器ｅ１〜ｅ３を並列の状態で冷凍回路Ｒに装備するとともに、それら蒸発器ｅ１〜ｅ３の各々に対し、膨張機構として対応商品庫４Ａ〜４Ｃの冷却条件に応じ選定した内径及び長さのキャピラリーチューブｃｔ１〜ｃｔ３を個別に直列接続し、そして、複数の商品庫４Ａ〜４Ｃの各々について蒸発器ｅ１〜ｅ３による庫内冷却を実施するか否かの切り換えは、冷媒の通過対象とする蒸発器ｅ１〜ｅ３を複数の開閉弁ｖの選択的な開閉により選択することで行うようにしていた。
【０００５】
なお、２７，２８は蒸発器ｅ１〜ｅ３及びキャピラリーチューブｃｔ１〜ｃｔ３とともに冷凍回路Ｒを構成する圧縮機、凝縮器である。
【０００６】
【発明が解決しようとする課題】
しかし、上記の如き従来の自動販売機では、膨張機構として対応商品庫４Ａ〜４Ｃの冷却条件に応じ選定した内径及び長さのキャプラリーチューブｃｔ１〜ｃｔ３を各蒸発器ｅ１〜ｅ３に対し個別に直列接続しているものの、２冷庫並列モードから冷温庫並列モードへの切り換えなどで冷媒の通過対象とする蒸発器が変更（特に冷媒の通過対象とする蒸発器の数が変更）されると、その影響で、庫内冷却を実施する蒸発器の冷媒通過量が変化して対応商品庫の庫内冷却状態が所期のものから外れてしまい、そのことで、その商品庫における収納商品の冷却状態が不適切になる問題があった。
【０００７】
また、従来の自動販売機では、冷媒通過対象とする蒸発器ｅ１〜ｅ３の変更に伴い、冷凍回路全体としての冷媒循環抵抗の変化や、冷媒非通過とした蒸発器での冷媒滞留、あるいはまた、冷媒非通過状態から冷媒通過状態に切り換えた蒸発器からの大量の液相冷媒送出などが生じることで、冷凍回路全体としての運転状態が大きく変化してしまい、そのことで庫内冷却性能の低下や省エネ性の低下を招く問題もあった。
【０００８】
この実情に鑑み、本発明の主たる課題は、合理的な切換構成により２冷庫並列モードと冷温庫並列モードとの切り換えを行なうことで、上記問題を効果的に解消する点にある。
【０００９】
【課題を解決するための手段】
〔１〕請求項１に係る発明は自動販売機に係り、その特徴は、
庫内商品の払い出しを互いに独立に行なう第１及び第２の商品庫を設けるとともに、圧縮機―凝縮器―膨張機構―蒸発器―圧縮機の順に冷媒を循環させる蒸気圧縮式の冷凍回路を設け、
第１及び第２商品庫の両方の庫内を前記蒸発器により冷却する２冷庫並列モードと、第１商品庫の庫内を前記蒸発器により冷却しかつ第２商品庫の庫内を加熱手段により加熱する冷温庫並列モードとの切り換えを可能にするのに、
前記蒸発器により冷却した空気を第１及び第２商品庫の両方に給気する２冷庫並列モード用の切換状態と、前記蒸発器により冷却した空気を第１商品庫にのみ給気する冷温庫並列モード用の切換状態とに冷却空気の給気経路を切り換える切換手段を設け、
前記膨張機構として電子制御膨張弁を装備するとともに、この電子制御膨張弁を前記冷凍回路における冷媒の状態に応じて制御する制御手段を設けてある点にある。
【００１０】
つまり、この構成によれば、２冷庫並列モードにおいて第１及び第２商品庫の両方の庫内を蒸発器により冷却する状態と、冷温庫並列モードにおいて第１商品庫の庫内のみを蒸発器により冷却する状態との切り換えを、蒸発器により冷却した空気についての上記の如き給気経路の切り換えで行なうから、第１及び第２の２つの商品庫に対して装備する蒸発器を実質的に共通の一個の蒸発器で済ませることができ、冷媒の通過対象とする蒸発器の変更を伴うことなく２冷庫並列モードと冷温庫並列モードとの切り換えを行うことができる。
【００１１】
そしてまた、膨張機構として電子制御膨張弁を採用することにより運転条件の変化に対する対応性を高めることができ、これらのことから、上記構成によれば、２冷庫並列モードと冷温庫並列モードとの切り換えを行うことにおいて従来の自動販売機で生じていた問題、すなわち、冷媒通過対象とする蒸発器の数の変更のために、庫内冷却を実施する蒸発器の冷媒通過量が変化して対応商品庫の庫内冷却状態が所期のものから外れてしまい、そのことで、その商品庫における収納商品の冷却状態が不適切になるといった問題、並びに、冷媒通過対象とする蒸発器の変更に伴い、冷凍回路全体としての運転状態が大きく変化し、そのことで庫内冷却性能の低下や省エネ性の低下を招くといった問題を効果的に回避することができ、この点で従来の自動販売機に比べ一層優れた自動販売機にすることができる。
【００１２】
しかも、第１及び第２の２つの商品庫に対して装備する蒸発器を実質的に共通の一個の蒸発器で済ませ得ることで、従来の自動販売機に比べ冷凍回路（冷媒回路）を簡略なもので済ませることができ、このことから、給気経路切換用の上記切換手段を新たに付加装備するにしても全体としての装置コストを効果的に低減することができる。
【００１３】
なお、請求項１に係る発明の実施において、電子制御膨張弁を冷凍回路における冷媒の状態に応じて制御するにあたり、その冷媒状態としては代表的には蒸発器出口における冷媒の過熱度を挙げることができるが、冷凍回路における他部の冷媒温度や冷媒圧力であってもよい。
【００１４】
また、電子制御膨張弁の制御に用いる具体的プログラムとしては、２冷庫並列モードと冷温庫並列モードとで使い分けるプログラムや、外気条件などの外部条件に応じて電子制御膨張弁の開度調整形態を変更するプログラムなど、種々のプログラムを採用することができる。
【００１５】
請求項１に係る発明の実施においては、上記構成を適用した第１商品庫と第２商品庫との組を１つの自動販売機において複数組設けるようにしたり、１つの第１商品庫に対し２つの第２商品庫を設ける形態で上記構成を適用した第１商品庫と第２商品庫との組を２組設けるなどしてもよい。
【００１６】
〔２〕請求項２に係る発明は、請求項１に係る発明の実施に好適な実施形態を特定するものであり、その特徴は、
第１商品庫の庫内空気を前記蒸発器の風路部を通じて循環させる第１庫内ファン、及び、第２商品庫の庫内空気を加熱手段の風路部を通じて循環させる第２庫内ファンを設け、
前記切換手段として、第２庫内ファンによる循環空気を迂回風路を通じて前記蒸発器の風路部に通過させる状態で循環させる迂回循環状態と、第２庫内ファンによる循環空気を前記迂回風路に対する短絡風路を通じて前記蒸発器の風路部に対し非通過の状態で循環させる短絡循環状態とに、空気循環経路を切り換える切換ダンパ装置を設けてある点にある。
【００１７】
つまり、この構成では、上記の迂回循環状態において第２庫内ファンを運転すれば、第２商品庫の庫内空気をその循環において蒸発器風路部の通過過程で蒸発器により冷却できるから、加熱手段を停止させた状態での冷凍回路の運転下において、第１庫内ファンの運転とともに、迂回循環状態での第２庫内ファンの運転を実施すれば、第１及び第２商品庫の両方の庫内を蒸発器により冷却する２冷庫並列モードを実現できる。
【００１８】
また、冷凍回路及び加熱手段の両方の運転下において、第１庫内ファンの運転とともに、上記短絡循環状態での第２庫内ファンの運転を実施すれば、第１商品庫の庫内を蒸発器により冷却し、かつ、第２商品庫の庫内を加熱手段により加熱する冷温庫並列モードを実現できる。
【００１９】
そして、上記構成によれば、２冷庫並列モードにおいて第２商品庫の庫内空気を第２庫内ファンの運転により迂回風路を通じて蒸発器の風路部に対し確実に通過させることができるから、第１及び第２商品庫の両方の庫内を１つの蒸発器により冷却する形態を採りながらも、２冷庫並列モードにおいて第１商品庫と同等の高い庫内冷却機能を第２商品庫についても得ることができ、また、２冷庫並列モードと冷温庫並列モードとの夫々において、循環途中で迂回風路を通過させるか短絡風路を通過させるかが異なるだけのほぼ同等の循環形態で第２商品庫の庫内空気を第２庫内ファンの運転により循環させるから、２冷庫並列モードと冷温庫並列モードとのいずれにおいても同等の高い庫内温度調整機能を第２商品庫について得ることができる。
【００２０】
なお、第１商品庫については、庫内空気を２冷庫並列モード及び冷温庫並列モードの夫々において第１庫内ファンの運転により確実に蒸発器の風路部を通じてかつ同等の循環形態で循環させるから、２冷庫並列モードと冷温庫並列モードとのいずれにおいても同等の高い庫内冷却機能及び庫内温度調整機能を得ることができる。
【００２１】
請求項２に係る発明の実施にあたり、２冷庫並列モードの具体的な実施形態としては、加熱手段を停止させた状態での冷凍回路の運転下において、第１庫内ファンを連続的ないし間欠的に運転するのに対し、迂回循環状態での第２庫内ファンの運転を連続的ないし間欠的に実施する形態、あるいはまた、第１庫内ファンの運転と迂回循環状態での第２庫内ファンの運転とを交互的に実施する形態など、種々の形態を採ることができる。
【００２２】
また、２冷庫並列モードにおいて、第１庫内ファンによる循環空気（第１商品庫の庫内空気）と第２庫内ファンによる循環空気（迂回風路を通過させる第２商品庫の庫内空気）とを蒸発器の風路部に対し同時に通過させる形態を採る場合には、蒸発器の風路部を第１庫内ファンによる循環空気の通過経路部分と第２庫内ファンによる循環空気の通過経路部分とに仕切った状態で、それら循環空気を蒸発器の風路部に通過させるようにするのが望ましい。
【００２３】
〔３〕請求項３に係る発明は、請求項１又は２に係る発明の実施に好適な実施形態を特定するものであり、その特徴は、
庫内商品の払い出しを第１及び第２商品庫とは独立に行なう第３商品庫を設けるとともに、
前記冷凍回路において、前記電子制御膨張弁と前記蒸発器との直列接続組とは並列に、開閉弁とキャピラリチューブと第３商品庫用の蒸発器との直列接続組を設け、
２冷庫並列モード及び冷温庫並列モードの夫々と並行する形態で、前記開閉弁を開いて前記第３商品庫用の蒸発器により第３商品庫の庫内を冷却する第３商品庫冷却モードと、前記開閉弁を閉じた状態で第３商品庫用の加熱手段により第３商品庫の庫内を加熱する第３商品庫加熱モードとの選択実施が可能な構成にしてある点にある。
【００２４】
つまり、この構成によれば、商品の販売傾向に応じ、第１及び第２商品庫について２冷庫並列モードと冷温庫並列モードとを選択できることに加え、第３商品庫について第３商品庫冷却モードと第３商品庫加熱モードとを選択できることで、自動販売機の商品販売機能を高めることができる。
【００２５】
そして、第３商品庫については、庫内冷却を実施するか否かの切り換えを開閉弁の開閉（すなわち、第３商品庫用の蒸発器に冷媒を通過させるか否かの切り換え）により行なうが、第１〜第３商品庫の庫内を各別に冷却する３つの蒸発器を設けて、庫内冷却を実施する商品庫の選択を３つの蒸発器のうちのいずれのものに冷媒を通過させるかの選択により行う従来の自動販売機に比べれば、請求項１に係る発明で得られる前述の効果により、冷却性能及び省エネ効果を高めることができるとともに、全体としての装置コストを低減することができる。
【００２６】
なお、請求項３に係る発明の実施においては、上記構成を適用した第３商品庫を１つの自動販売機において複数庫設けるようにしてもよい。
【００２７】
また、開閉弁とキャピラリチューブと第３商品庫用の蒸発器との直列接続組を形成するのに、開閉弁とキャピラリチューブと第３商品庫用蒸発器との配列順序は、冷媒通過方向においてキャピラリチューブの下流側に第３商品庫用の蒸発器を配置するものでさえあれば、それら３者の配置順序はどのような順序であってもよい。
【００２８】
【発明の実施の形態】
図１は、缶飲料やペットボトル飲料を販売する自動販売機を示し、外扉１を備える機体ケース２の内部には共通の内扉３を備える第１〜第３の商品庫４Ａ〜４Ｃを形成してあり、各商品庫４Ａ〜４Ｃは内扉３及び外扉１を閉じた状態において気密断熱状態になる。
【００２９】
図１〜図４に示す如く、各商品庫４Ａ〜４Ｃの庫内には、商品Ｓを左右横向き姿勢で積み重ねて収納する複数ないし単数のストッカ５を設け、各商品庫４Ａ〜４Ｃの庫内においてストッカ５の下方には、各ストッカ５の下端部に装備の払出装置６により各ストッカ５から一本ずつ落下送出される商品Ｓを外扉１に形成の商品払出口７へ導くシューター８を設けてある。
【００３０】
第１商品庫４Ａは収納商品Ｓの冷却処理のみを行なう冷却専用庫、第２及び第３商品庫４Ｂ，４Ｃは収納商品Ｓの冷却処理と加熱処理との選択が可能な冷温切換庫であり、図２〜図５に示す如く、第１商品庫４Ａにおけるシューター８の下方には第１商品庫４Ａの庫内を温調する第１温調ユニット９Ａを装備し、第２商品庫４Ｂにおけるシューター８の下方には第２商品庫４Ｂの庫内を温調する第２温調ユニット９Ｂを装備し、同様に第３商品庫４Ｃにおけるシューター８の下方には第３商品庫４Ｃの庫内を温調する第３温調ユニット９Ｃを装備してある。
【００３１】
そして、第１温調ユニット９Ａには、冷却手段としての蒸発器１０と第１庫内ファン１１とを装備し、第２温調ユニット９Ｂには、切換ダンパ装置１２と第２庫内ファン１３と加熱手段としての電気ヒータ１４とを装備し、第３温調ユニット９Ｃには、冷却手段としての第３商品庫用の蒸発器１０Ａと第３庫内ファン１５と加熱手段としての電気ヒータ１６とを装備してある。
【００３２】
各商品庫４Ａ〜４Ｃの後壁部には、各庫内ファン１１，１３，１５の運転により上端から各商品庫４Ａ〜４Ｃの庫内空気ａ１〜ａ３を吸入して、その吸入空気ａ１〜ａ３を各温調ユニット９Ａ〜９Ｃに導く庫内ダクト１７を設けてあり、また、各商品庫４Ａ〜４Ｃのシューター８は、各庫内ファン１１，１３，１５の運転により各温調ユニット９Ａ〜９Ｃに導かれた後、各温調ユニット９Ａ〜９Ｃから送出される空気ａ１〜ａ３の通過を許す多孔構造にしてあり、これにより、各庫内ファン１１，１３，１５を運転することで各商品庫４Ａ〜４Ｃの庫内空気ａ１〜ａ３を各温調ユニット９Ａ〜９Ｃに通過させる形態（すなわち、各温調ユニット９Ａ〜９Ｃに装備した蒸発器１０，１０Ａの風路部や電気ヒータ１４，１６の風路部に通過させる形態）で庫内循環させるようにしてある。
【００３３】
９ｗは各温調ユニット９Ａ〜９Ｃのユニットケースであり、これらユニットケース９ｗは、蒸発器１０，１０Ａ、電気ヒータ１４，１６、庫内ファン１１，１３，１５などの取り付け基台になるとともに、蒸発器１０，１０Ａの風路部や電気ヒータ１４，１６の風路部に対して循環空気ａ１〜ａ３を通風するための通風路を形成する。
【００３４】
図５，図６に示す如く、第１商品庫４Ａと第２商品庫４Ｂとを仕切る断熱仕切壁１８には、その仕切壁１８を挟んで隣接させる状態に配置した第１温調ユニット９Ａと第２温調ユニット９Ｂとの間において第１及び第２の２つの連通口１９ａ，１９ｂを形成してあり、また、第１温調ユニット９Ａには、蒸発器１０の風路部を２つの部分風路部ｆ１，ｆ２に分けて、その一方の部分風路部ｆ１を第１庫内ファン１１による循環空気ａ１の通過経路にするとともに、他方の部分風路部ｆ２の入口を第１連通口１９ａに連通させる入口側風路、及び、他方の部分風路部ｆ２の出口を第２連通口１９ｂに連通させる出口側風路を第１温調ユニット９Ａのユニットケース９ｗ内に仕切り形成して、第１及び第２連通口１９ａ，１９ｂとともにＵ字状風路２０を形成する内部仕切２１を設けてある。
【００３５】
これに対し、第２温調ユニット９Ｂに装備した切換ダンパ装置１２は、図６〜図９に示す如く、夫々の縦向き回転軸芯ｐ１，ｐ２上に配置した連動ギア２２ａ，２２ｂどうしの咬合により連動動作して互いに対象的に回動する一対のダンパ羽根２３ａ，２３ｂを備え、図６に示す如く両ダンパ羽根２３ａ，２３ｂを断熱仕切壁１８に沿わせる姿勢にして、一方のダンパ羽根２３ａにより第１連通口１９ａを閉じ、かつ、他方のダンパ羽根２３ｂにより第２連通口１９ｂを閉じるのに対し、第２温調ユニット９Ｂのユニットケース９ｗ内に形成した短絡用通気口２４を開く短絡用位置と、図７に示す如く両ダンパ羽根２３ａ，２３ｂを重ね合わせ姿勢にして、第２温調ユニット９Ｂのユニットケース９ｗ内に形成した短絡用通気口２４を両ダンパ羽根２３ａ，２３ｂにより閉じるのに対し、第１及び第２連通口１９ａ，１９ｂを開く迂回用位置とにわたって両ダンパ羽根２３ａ，２３ｂを切り換え操作するものにしてある。
【００３６】
つまり、この切換ダンパ装置１２は、両ダンパ羽根２３ａ，２３ｂを上記迂回用位置に切り換え操作することにより、第２庫内ファン１３による循環空気ａ２を図７に示す如く迂回風路としての前記Ｕ字状風路２０を通じて迂回的に隣の第１温調ユニット９Ａにおける蒸発器１０の部分風路部ｆ２に通過させる形態で循環させる迂回循環状態を現出し、また、両ダンパ羽根２３ａ，２３ｂを上記短絡用位置に切り換え操作することにより、第２庫内ファン１３による循環空気ａ２を図６に示す如くＵ字状風路２０に対する短絡風路としての短絡用通気口２４を通じて第１温調ユニット９Ａにおける蒸発器１０の部分風路部ｆ２に対し非通過の状態で循環させる短絡循環状態を現出する。
【００３７】
そして、第１及び第２商品庫４Ａ，４Ｂについては、切換ダンパ装置１２を図７に示す迂回循環状態の側に切り換えた状態において、第１温調ユニット９Ａにおける蒸発器１０を冷却作用させ、かつ、第２温調ユニット９Ｂにおける電気ヒータ１４の加熱作用を停止させて、第１庫内ファン１１及び第２庫内ファン１３を運転することで、第１及び第２商品庫４Ａ，４Ｂの両方の庫内を第１温調ユニット９Ａの蒸発器１０により冷却する２冷庫並列モードを実施し、また、切換ダンパ装置１２を図６に示す短絡循環状態の側に切り換えた状態において、第１温調ユニット９Ａにおける蒸発器１０を冷却作用させ、かつ、第２温調ユニット９Ｂにおける電気ヒータ１４を加熱作用させて、第１庫内ファン１１及び第２庫内ファン１３を運転することで、第１商品庫４Ａの庫内を蒸発器１０により冷却し、かつ、第２商品庫４Ｂの庫内を電気ヒータ１４により加熱する冷温庫並列モードを実施するようにしてある。
【００３８】
また一方、第３商品庫４Ｃについては、第３温調ユニット９Ｃにおける第３商品庫用蒸発器１０Ａを冷却作用させ、かつ、第３温調ユニット９Ｃにおける電気ヒータ１６の加熱作用を停止させて第３庫内ファン１５を運転することで、第３商品庫４Ｃの庫内を第３商品庫用蒸発器１０Ａにより冷却する第３商品庫冷却モードを、上記の２冷庫並列モード及び冷温庫並列モードの夫々と並行する形態で実施し、また、第３温調ユニット９Ｃにおける第３商品庫用蒸発器１０Ａの冷却作用を停止させ、かつ、第３温調ユニット９Ｃにおける電気ヒータ１６を加熱作用させて第３庫内ファン１５を運転することにより、第３商品庫４Ｃの庫内を電気ヒータ１６により加熱する第３商品庫加熱モードを、上記の２冷庫並列モード及び冷温庫並列モードの夫々と並行する形態で実施するようにしてある。
【００３９】
なお、図６に示す如く、各ダンパ羽根２３ａ，２３ｂにおいて、それらダンパ羽根２３ａ，２３ｂが短絡用位置にあるときに仕切壁１８の第１及び第２連通口１９ａ，１９ｂに対して閉塞作用する羽根部分には断熱材Ｄを付設してある。
【００４０】
２５は一方の連動ギア２２ａに咬合させた駆動ギア２５ａを回転させて両ダンパ羽根２３ａ，２３ｂを操作する減速機付きモータ、２６は一方のダンパ羽根２３ｂとの接触により両ダンパ羽根２３ａ，２３ｂが迂回用位置になったことを検出するリミットスイッチであり、上記の切換ダンパ装置１２では、迂回循環状態への切換指令が付与されると、リミットスイッチ２６とダンパ羽根２３ｂとの接触がリミットスッチ２６により検出されるまで、両ダンパ羽根２３ａ，２３ｂを迂回用位置の側へ回動させる方向にモータ２５を駆動操作して、両ダンパ羽根２３ａ，２３ｂを迂回用位置で回動停止させ、また逆に、短絡循環状態への切換指令が付与されると、両ダンパ羽根２３ａ，２３ｂを短絡用位置の側へ回動させる方向にモータ２５を所定時間だけ駆動操作して、両ダンパ羽根２３ａ，２３ｂを短絡用位置で回動停止させるようにしてある。
【００４１】
前記の各蒸発器１０，１０Ａとともに冷凍回路Ｒを形成する圧縮機２７及び凝縮器２８は機体ケース２の内部において第１〜第３商品庫４Ａ〜４Ｃの下方に配置してあり、そして、この自動販売機では、図１０に示す如く圧縮機２７−凝縮器２８―電子制御膨張弁２９−蒸発器１０−圧縮機２７の順に冷媒を循環させる冷凍回路Ｒにおいて、電子制御膨張弁２９と蒸発器１０との直列接続組とは並列に、電磁開閉弁３０とキャピラリーチューブ３１と第３商品庫用蒸発器１０Ａとの直列接続組を付加装備してある。
【００４２】
つまり、２冷庫並列モード又は冷温庫並列モードに並行して第３商品庫冷却モードを実施する場合には、電磁開閉弁３０を開弁して蒸発器１０及び第３商品庫用蒸発器１０Ａの両方に冷媒を通過させる状態で圧縮機２７による冷媒循環運転を実施し、これにより、凝縮器２８を外気ファン３１による通風外気ｏａに対し放熱作用させながら、蒸発器１０及び第３商品庫用蒸発器１０Ａを各々の風路部ｆ１，ｆ２，ｆ３の通過空気ａ１，ａ２，ａ３に対して冷却作用させる。
【００４３】
また、２冷庫並列モード又は冷温庫並列モードに並行して第３商品庫加熱モードを実施する場合には、電磁開閉弁３０を閉弁して第３商品庫用蒸発器１０Ａにおける冷媒通過を断った状態で圧縮機２７による冷媒循環運転を実施し、これにより、第３商品庫用蒸発器１０Ａの冷却作用を停止させた状態で、凝縮器２８を外気ファン３１による通風外気ｏａに対し放熱作用させながら、蒸発器１０をその風路部ｆ１，ｆ２の通過空気ａ１，ａ２に対して冷却作用させる。
【００４４】
３２ａは蒸発器１０の入口における冷媒の温度ｔｉを検出する入口温センサ、３２ｂは蒸発器１０の出口における冷媒の温度ｔｏを検出する出口温センサ、３３は制御器であり、この制御器３３は、管理者の付与指令に応じて前記の２冷庫並列モード、冷温庫並列モード、第３商品庫冷却モード、第３商品器加熱モードを選択的に実行する。
【００４５】
また、この制御器３３は、電子制御膨張弁２９に対する制御手段として、上記各モードごとの制御プログラムに従い、蒸発器１０の出口における冷媒の過熱度を所定の適正値に維持するように、入口温センサ３２ａ及び出口温センサ３２ｂの検出情報に基づき電子制御膨張弁２９を制御する。
【００４６】
なお、この制御器３３は、各商品庫４Ａ〜４Ｃの庫内温度を検出する庫内温度センサ（図示省略）の検出情報に基づき、上記各モードにおいて各商品庫４Ａ〜４Ｃの庫内温度を設定温度に保つように、圧縮機２７，切換ダンパ装置１２，電磁開閉弁３０、各電気ヒータ１４，１７などを操作する庫内温度制御も合わせ実行するものにしてある。
【００４７】
〔別の実施形態〕
次に別実施形態を列記する。
【００４８】
前述の実施形態では、蒸発器１０により冷却した空気を第１及び第２商品庫４Ａ，４Ｂの両方に給気する２冷庫並列モード用の切換状態と、蒸発器１０により冷却した空気を第１商品庫４Ａにのみ給気する冷温庫並列モード用の切換状態とに冷却空気の給気経路を切り換える切換手段として、第２庫内ファン１３による循環空気ａ２を迂回風路２０を通じて蒸発器１０の風路部に通過させる状態で循環させる迂回循環状態と、第２庫内ファン１３による循環空気ａ２を迂回風路２０に対する短絡風路２４を通じて蒸発器１０の風路部に対し非通過の状態で循環させる短絡循環状態とに空気循環経路を切り換える切換ダンパ装置１２を設ける例を示したが、請求項１に係る発明において上記切換手段の具体的構造は、前述の切換ダンパ装置１２の如き空気循環経路切り換え方式のものに限らず、種々の構成変更が可能である。
【００４９】
また、切換手段として上記の迂回循環状態と短絡循環状態とに空気循環経路を切り換える切換ダンパ装置１２を採用する場合、その切換ダンパ装置１２の具体的構造、並びに、迂回風路２０や短絡風路２４の具体的構造も、前述の実施形態で示した構造に限らず、種々の構成変更が可能である。
【００５０】
本発明は冷却や加熱を要する商品であれば、缶飲料やペットボトル飲料に限らず種々の商品の自動販売機に適用できる。
【００５１】
【図面の簡単な説明】
【図１】扉を開いた状態を示す自動販売機の斜視図
【図２】第１商品庫下部の側面視断面図
【図３】第２商品庫下部の側面視断面図
【図４】第３商品庫下部の側面視断面図
【図５】商品庫下部の平面視断面図
【図６】短絡循環状態を示す要部の平面視断面図
【図７】迂回循環状態を示す要部の平面視断面図
【図８】切換ダンパ装置の拡大側面図
【図９】切換ダンパ装置の拡大平面図
【図１０】冷凍回路の構成図
【図１１】従来例を示す自動販売機の装置構成図
【符号の説明】
Ｇ　　　　　　　商品
４Ａ　　　　　　第１商品庫
４Ｂ　　　　　　第２商品庫
４Ｃ　　　　　　第３商品庫
１０　　　　　　蒸発器
１０Ａ　　　　　第３商品庫用の蒸発器
１１　　　　　　第１庫内ファン
１２　　　　　　切換手段，切換ダンパ装置
１３　　　　　　第２庫内ファン
１４　　　　　　加熱手段
２０　　　　　　迂回風路
２４　　　　　　短絡風路
２７　　　　　　圧縮機
２８　　　　　　凝縮器
２９　　　　　　膨張機構，電子制御膨張弁
３０　　　　　　開閉弁
３１　　　　　　キャピラリチューブ
３３　　　　　　制御手段
ａ１　　　　　　第１商品庫の庫内空気
ａ２　　　　　　第２商品庫の庫内空気
Ｒ　　　　　　　冷凍回路
【図１】
2004037019.tif 000003
【図２】
2004037019.tif 000004
【図３】
2004037019.tif 000005
【図４】
2004037019.tif 000006
【図５】
2004037019.tif 000007
【図６】
2004037019.tif 000008
【図７】
2004037019.tif 000009
【図８】
2004037019.tif 000010
【図９】
2004037019.tif 000011
【図１０】
2004037019.tif 000012
【図１１】
2004037019.tif 000013